(57)【特許請求の範囲】
【請求項１】
ＩＤカードの表面に重ね合わせることにより、前記ＩＤカードの表面に記載された情報の一部をマスク可能なマスキングカードであって、前記ＩＤカードと同じサイズを有する透明基板と、前記透明基板の表面をすりガラス状に加工して前記透明基板の表面に備えられ、前記ＩＤカードの表面をマスクする領域に設けられるマスク部と、を備え、前記マスク部に、前記マスキングカードを発行する機関が証明する事項が印刷されるマスキングカードと、
前記ＩＤカード及び前記マスキングカードを重ねて収納可能な収納部を備えたカードケースと、
を備えたＩＤカードケース。
【請求項２】
ＩＤカードの表面に重ね合わせることにより、前記ＩＤカードの表面に記載された情報の一部をマスク可能なマスキングカードであって、前記ＩＤカードと同じサイズを有する透明基板と、前記透明基板の表面に備えられ、前記ＩＤカードの表面をマスクする領域に設けられるマスク部と、を備え、前記マスク部に、前記マスキングカードを発行する機関が証明する事項が印刷されるマスキングカードと、
前記ＩＤカード及び前記マスキングカードを重ねて収納可能な収納部を備え、かつ、前記収納部の裏面側が不透明なカードケースと、
を備えたＩＤカードケース。
【請求項３】
ＩＤカードの表面に重ね合わせることにより、前記ＩＤカードの表面に記載された情報の一部をマスク可能なマスキングカードであって、前記ＩＤカードと同じサイズを有する透明基板と、前記透明基板の表面に備えられ、前記ＩＤカードの表面をマスクする領域に設けられるマスク部と、を備え、前記マスク部に、前記マスキングカードを発行する機関が証明する事項が印刷されるマスキングカードと、
前記ＩＤカード及び前記マスキングカードを重ねて収納可能な収納部と、前記収納部に収納された前記ＩＤカード及び前記マスキングカードを前記収納部の内壁面に向けて押圧して前記収納部内に保持する保持手段と、を備えたカードケースと、
を備え、
前記収納部は、一辺が挿入口として開口し、前記挿入口を介して前記ＩＤカード及び前記マスキングカードが出し入れされ、
前記保持手段は、前記収納部の前記挿入口から底までの長さをＨとした場合、前記収納部の底から１／２＊Ｈ以上離れた位置に配置される、
ＩＤカードケース。
【請求項４】
ＩＤカードの表面に重ね合わせることにより、前記ＩＤカードの表面に記載された情報の一部をマスク可能なマスキングカードであって、前記ＩＤカードと同じサイズを有する透明基板と、前記透明基板の表面に備えられ、前記ＩＤカードの表面をマスクする領域に設けられるマスク部と、を備え、前記マスク部に、前記マスキングカードを発行する機関が証明する事項が印刷されるマスキングカードと、
前記ＩＤカード及び前記マスキングカードを重ねて収納可能な収納部と、前記収納部の裏面側に指穴としての開口部と、を備え、前記収納部の裏面側が不透明なカードケースと、
を備え、
前記開口部は、前記収納部に収納された前記ＩＤカードの裏面に記載された特定の情報を露出させない位置に配置される、
ＩＤカードケース。
【請求項５】
ＩＤカードの表面に重ね合わせることにより、前記ＩＤカードの表面に記載された情報の一部をマスク可能なマスキングカードであって、
前記ＩＤカードと同じサイズを有する透明基板と、
前記透明基板の表面をすりガラス状に加工して前記透明基板の表面に備えられ、前記ＩＤカードの表面をマスクする領域に設けられるマスク部と、
を備え、
前記マスク部には、前記マスキングカードを発行する機関が証明する事項が記載される、
マスキングカード。
【請求項６】
ＩＤカードの表面に重ね合わされる表面カード部であって、マスクする領域に対応して表面マスク部が備えられた表面カード部と、
前記ＩＤカードの裏面に重ね合わされる裏面カード部であって、マスクする領域に対応して裏面マスク部が備えられた裏面カード部と、
前記表面カード部と前記裏面カード部とを折り畳み可能に接合する接合部と、
を備えたマスキングカード。
【請求項７】
前記表面カード部は、前記ＩＤカードの表面の一部がマスクされるように、前記表面マスク部が形成され、
前記裏面カード部は、前記ＩＤカードの裏面全体がマスクされるように、前記裏面マスク部が形成される、
請求項６に記載のマスキングカード。
【請求項８】
前記表面カード部及び前記裏面カード部は、前記ＩＤカードと同じサイズのカード形状を有する、
請求項６又は７に記載のマスキングカード。
【請求項９】
請求項６から８のいずれか１項に記載のマスキングカードと、
ＩＤカード及び前記マスキングカードを重ねて収納可能な収納部を備えたカードケースと、
を備えたＩＤカードケース。
【請求項１０】
ＩＤカードの表面に重ね合わせることにより、前記ＩＤカードの表面に記載された情報の一部をマスク可能な第１のマスキングカードと、
前記ＩＤカードの裏面に重ね合わせることにより、前記ＩＤカードの裏面に記載された情報の一部又は前記ＩＤカードの裏面の全体をマスク可能な第２のマスキングカードと、
前記ＩＤカード、前記第１のマスキングカード及び前記第２のマスキングカードを重ねて収納可能な収納部を備えたカードケースと、
を備えたＩＤカードケース。
【発明の詳細な説明】
【技術分野】
【０００１】
本発明は、ＩＤカードケース、及び、マスキングカードに関する。
【背景技術】
【０００２】
近年、セキュリティー意識の向上を背景に、企業や官公庁などでは、所属する職員にＩＤカード（identity card／identification card：身分証明書）を発行し、そのＩＤカードによって建物等への出入りを管理する等の運用がなされている。
【０００３】
しかし、ＩＤカードには、個人のプライバシーに関わる情報が含まれている場合があり、むやみに露出させることは、個人情報の保護の観点から好ましくない。
【０００４】
そこで、特許文献１では、ＩＤカードの表面全体をブロックカバーで隠し、必要なときにのみブロックカバーを外して、表面に記載された情報を露出できるようにすることが提案されている。
【０００５】
また、特許文献２には、ＩＤカードの表面にシールを貼付し、そのシールによってＩＤカードの表面に記載された情報を部分的に隠すことが提案されている。
【０００６】
また、特許文献３には、ＩＤカードを入れるケースに隠蔽部分を設け、ＩＤカードをケースに入れると、ＩＤカードの表面に記載された情報の一部が隠蔽部分によって隠されるようにすることが提案されている。
【先行技術文献】
【特許文献】
【０００７】
【特許文献１】特開2007-65530号公報
【特許文献２】特開2011-16259号公報
【特許文献３】特開2003-99737号公報
【発明の概要】
【発明が解決しようとする課題】
【０００８】
しかしながら、特許文献１のように、ＩＤカードの表面全体をブロックカバーで隠してしまうと、ＩＤカードの提示を求められた際に、その都度、ブロックカバーを外す手間がかかり、使用が煩わしいという欠点がある。また、提示時には、ＩＤカードの表面全体が露出されるため、必要以上の情報が露出されてしまうという欠点もある。
【０００９】
また、特許文献２のように、シールでＩＤカードの情報を隠す構成とすると、隠した情報を提示する際にシールを剥がす手間がかかり、使用が煩わしいという欠点がある。また、シールの粘着力には限度があるため、長期間の使用に耐えられないという欠点もある。さらに、シールの粘着力によって、表面の印刷等が落ちてしまうおそれもある。
【００１０】
また、特許文献３のように、ケースに隠蔽部分を設けてＩＤカードの情報を隠す構成とすると、専用のケースを使用しなければならないという欠点がある。
【００１１】
本発明は、このような事情に鑑みてなされたものであり、ＩＤカードに記載された個人情報を適切に保護でき、かつ、使い勝手の良いＩＤカードケース、及び、マスキングカードを提供することを目的とする。
【課題を解決するための手段】
【００１２】
課題を解決するための手段は、次のとおりである。
【００１３】
（１）ＩＤカードの表面に重ね合わせることにより、ＩＤカードの表面に記載された情報の一部をマスク可能なマスキングカードと、ＩＤカード及びマスキングカードを重ねて収納可能な収納部を備えたカードケースと、を備えたＩＤカードケース。
【００１４】
本態様によれば、ＩＤカードとマスキングカードとを重ねてカードケースに収納すると、ＩＤカードの表面に記載された情報の一部がマスキングカードによってマスクされる。これにより、必要以上の情報が露出するのを防止でき、個人情報を適切に保護してＩＤカードを使用できる。また、マスクされた情報を確認する場合は、ＩＤカードをカードケースから取り出すだけなので、使い勝手の良さも確保できる。
【００１５】
（２）ＩＤカードには、個人に関わる情報が表面の複数個所に記載され、マスキングカードは、ＩＤカードの表面に重ね合わせることにより、ＩＤカードの表面に記載された個人に関わる情報の一部をマスク可能に構成される、（１）のＩＤカードケース。
【００１６】
本態様によれば、ＩＤカードの表面にマスキングカードを重ね合わせると、ＩＤカードの表面に記載された個人に関わる情報の一部が、マスキングカードでマスクされる。これにより、個人に関わる情報のうち必要な情報だけを表示させて、他の情報を目隠しできる。
【００１７】
（３）マスキングカードは、特定の情報が記載された領域以外の領域をマスクする、（１）又は（２）のＩＤカードケース。
【００１８】
本態様によれば、ＩＤカードは、マスキングカードが表面に重ねられると、特定の情報が記載された領域以外の領域がマスクされる。ここで、特定の情報とは、ＩＤカードの表面に記載された情報のうち第三者に視認させる情報として選択された情報のことをいう。たとえば、表面に氏名、住所、性別、生年月日、顔写真が記載されたＩＤカードにおいて、第三者に視認させる情報として氏名及び顔写真が選択された場合、氏名及び顔写真が特定の情報とされる。この場合、氏名及び顔写真が記載された領域を除く領域が全体的にマスクされる。これにより、必要最小限の情報のみ表示でき、他の情報を目隠しできる。特定の情報は、ＩＤカードをカードケースに入れて使用するときの目的、用途に応じて適宜選択される。
【００１９】
（４）マスキングカードのＩＤカードの表面をマスクする領域には、マスキングカードを発行する機関が証明する事項が記載される、（１）から（３）のＩＤカードケース。
【００２０】
本態様によれば、マスキングカードに発行機関が証明する情報が記載される。これにより、既存のＩＤカードを利用して、独自のＩＤカードを提供できる。たとえば、個人番号カードや運転免許証、健康保険証など公的機関が発行するＩＤカードを利用して、企業の社員証や公務員のＩＤカードを提供できる。なお、「発行機関」とは、マスキングカードを発行する機関のことであり、本発明に係るＩＤカードケースを使用して、カードケースに収納したＩＤカードを独自のＩＤカードとして使用する機関のことである。
【００２１】
（５）マスキングカードは、ＩＤカードと同じサイズを有する透明基板と、透明基板に備えられ、ＩＤカードの表面をマスクする領域に設けられるマスク部と、を備える、（１）から（４）のＩＤカードケース。
【００２２】
本態様によれば、マスキングカードは、ＩＤカードと同じサイズの透明基板にマスク部を設けて構成される。この場合、マスク部以外の領域は、透明な窓部として構成され、その透明な窓部を介して、ＩＤカードに記載された情報が視認される。また、マスキングカードをＩＤカードと同じサイズの透明基板で構成することにより、市販のカードプリンター等を用いて、マスキングカードへの印刷も可能になる。なお、「同じサイズ」とは、縦及び横の長さが互いに同じであることをいう。「同じ」には、発明の趣旨を逸脱しない範囲で実質的に同一、すなわち、ほぼ同一の範囲が含まれる。
【００２３】
（６）カードケースは、収納部の裏面側が不透明である、（１）から（５）のＩＤカードケース。
【００２４】
本態様によれば、カードケースの収納部の裏面側が不透明とされる。これにより、ＩＤカードの裏面を目隠しできる。ＩＤカードは、裏面側にも個人に関わる情報が記載されている場合がある。ＩＤカードの裏面を目隠しすることにより、ＩＤカードに記載された個人情報を適切に保護できる。
【００２５】
（７）収納部は、一辺が挿入口として開口し、挿入口を介してＩＤカード及びマスキングカードが出し入れされ、カードケースは、収納部に収納されたＩＤカード及びマスキングカードを収納部の内壁面に向けて押圧して収納部内に保持する保持手段を更に備える、
（１）から（６）のＩＤカードケース。
【００２６】
本態様によれば、収納部の一辺が挿入口として開口し、その挿入口を介して収納部にＩＤカード及びマスキングカードが出し入れされる。また、カードケースは、収納部に収納されたＩＤカード及びマスキングカードを収納部の内壁面に向けて押圧して収納部内に保持する保持手段が備えられる。これにより、ＩＤカード及びマスキングカードの出し入れの利便性を確保しつつ、ＩＤカード及びマスキングカードが脱落するのを適切に防止できる。また、同じサイズのＩＤカードとマスキングカードとが重ねて収納されることにより、より効果的に脱落を防止できる。
【００２７】
（８）保持手段は、ＩＤカード及びマスキングカードの挿入方向と平行な収納部の一辺に配置され、ＩＤカード及びマスキングカードの端面を押圧して、ＩＤカード及びマスキングカードを収納部内に保持する、（７）のＩＤカードケース。
【００２８】
本態様によれば、保持手段がＩＤカード及びマスキングカードの端面を押圧して、ＩＤカード及びマスキングカードを収納部内に保持する。この場合、保持手段がＩＤカード及びマスキングカードの双方に接触するので、より効果的にＩＤカード及びマスキングカードの双方の脱落を防止できる。
【００２９】
（９）保持手段は、収納部の挿入口から底までの長さをＨとした場合、収納部の底から１／２＊Ｈ以上離れた位置に配置される、（７）又は（８）のＩＤカードケース。
【００３０】
本態様によれば、収納部の底から１／２＊Ｈ以上離れた位置に保持手段が配置される。これにより、より効果的にＩＤカード及びマスキングカードの脱落を防止できる。
【００３１】
（１０）カードケースは、収納部の裏面側が不透明であり、かつ、収納部の裏面側に指穴としての開口部を有し、開口部は、収納部に収納されたＩＤカードの裏面に記載された特定の情報を露出させない位置に配置される、（７）から（９）のＩＤカードケース。
【００３２】
本態様によれば、カードケースの収納部の裏面側が不透明とされる。これにより、ＩＤカードの裏面を目隠しできる。また、収納部には、裏面側に指穴としての開口部が備えられる。指穴とは、指の先を挿入して収納部に収納されたカードを取り出すための穴のことである。したがって、開口部は、少なくとも成人の人指し指の先端を挿入可能なサイズを有する。指穴としての開口部を備えることにより、収納部に収納されたＩＤカード及びマスキングカードの取り出しを容易にできる。指穴としての開口部は、収納部に収納されたＩＤカードの裏面に記載された特定の情報、たとえば、個人に関わる情報を露出させない位置に配置される。これにより、ＩＤカードの裏面に記載された個人情報を適切に保護できる。
【００３３】
（１１）ＩＤカードの表面に重ね合わせることにより、ＩＤカードの表面に記載された情報の一部をマスク可能なマスキングカード。
【００３４】
本態様によれば、マスキングカードをＩＤカードに重ねると、ＩＤカードの表面に記載された情報の一部をマスキングカードでマスクできる。したがって、この状態でＩＤカードをカードケースに収納すれば、必要以上の情報が露出するのを防止でき、ＩＤカードに記載された個人情報を適切に保護できる。
【００３５】
（１２）ＩＤカードには、個人に関わる情報が表面の複数個所に記載され、ＩＤカードの表面に重ね合わせることにより、ＩＤカードの表面に記載された個人に関わる情報の一部をマスク可能に構成される、（１１）のマスキングカード。
【００３６】
本態様によれば、ＩＤカードの表面にマスキングカードを重ね合わせると、ＩＤカードの表面に記載された個人に関わる情報の一部が、マスキングカードでマスクされる。これにより、個人に関わる情報のうち必要な情報だけを表示させて、他の情報を目隠しできる。
【００３７】
（１３）マスキングカードは、特定の情報が記載された領域以外の領域をマスクする、（１１）又は（１２）のマスキングカード。
【００３８】
本態様によれば、マスキングカードをＩＤカードの表面に重ねると、特定の情報が記載された領域を除く領域がマスクされる。これにより、必要最小限の情報のみ表示でき、他を目隠しできる。
【発明の効果】
【００３９】
本発明によれば、ＩＤカードに記載された個人情報を適切に保護でき、かつ、使い勝手の良いＩＤカードを提供できる。
【図面の簡単な説明】
【００４０】
【図１】ＩＤカードケースの第１の実施の形態を示す正面図
【図２】ＩＤカードの構成を示す図
【図３】マスキングカードの構成を示す図
【図４】マスク部の配置形態を説明する説明図
【図５】マスキングカードの作用を説明する説明図
【図６】カードケースの正面図（表面図）
【図７】カードケースの背面図（裏面図）
【図８】カードケースの側面図
【図９】図８の９−９断面図
【図１０】図６の１０−１０断面図
【図１１】指穴の配置を説明する説明図
【図１２】ＩＤカードケースの使用形態を示す図
【図１３】マスキングカードの他の一例を示す図
【図１４】特定の企業の社員証として使用する場合のマスキングカードの一例を示す図
【図１５】ＩＤカードに重ねた状態のマスキングカードの表面図
【図１６】セキュリティー技術を搭載したマスキングカードの一例を示す図
【図１７】運転免許証をＩＤカードとして使用する場合のマスキングカードの構成の一例を示す図
【図１８】社員証をＩＤカードとして使用する場合のマスキングカードの構成の一例を示す図
【図１９】カードケースの他の実施の形態を示す正面図
【図２０】他の保持手段が採用されたカードケースの正面図
【図２１】図２０の２１−２１断面図
【図２２】マスキングカードのその他の実施の形態を示す表面図
【図２３】マスキングカードの作用を説明する説明図
【図２４】マスキングカードの使用形態を説明する説明図
【図２５】マスキングカードの実施例を示す図
【発明を実施するための形態】
【００４１】
以下、添付図面を参照して、本発明の好ましい実施の形態を詳説する。
【００４２】
［第１の実施の形態］
ここでは、個人番号カードをＩＤカードとして使用する場合を例に説明する。個人番号カードとは、日本において、「行政手続における特定の個人を識別するための番号の利用等に関する法律」に基づき発行される身分証明書の一つで、持ち主の氏名、住所、生年月日、性別、個人番号（マイナンバー）、顔写真などを券面に表示し、これらをＩＣ（Integrated Circuit：集積回路）チップに記録するＩＣカードである。
【００４３】
《全体構成》
図１は、ＩＤカードケースの第１の実施の形態を示す正面図である。
【００４４】
ＩＤカードケース１は、ＩＤカード１０の表面を部分的にマスクするマスキングカード２０と、ＩＤカード１０及びマスキングカード２０を収納するカードケース３０と、を備えて構成される。
【００４５】
〈ＩＤカード〉
上記のように、ＩＤカード１０は、個人番号カードで構成される。
【００４６】
図２は、個人番号カードで構成されるＩＤカードを示す図である。同図（Ａ）は、ＩＤカード１０の表面図、同図（Ｂ）は、ＩＤカード１０の裏面図である。
【００４７】
個人番号カードで構成されるＩＤカード１０は、ＩＣチップが搭載されたプラスチック製のＩＣカードで構成される。そのサイズは、縦５３．９２ｍｍ以上５４．０３ｍｍ以下、横８５．４７ｍｍ以上８５．７２ｍｍ以下とされ（行政手続における特定の個人を識別するための番号の利用等に関する法律の規定による通知カード及び個人番号カード並びに情報提供ネットワークシステムによる特定個人情報の提供等に関する省令（平成２６年総務省令第８５号）第２５条、様式第２）、ISO/IEC 7810 ID-1規格に準拠したサイズ（縦５３．９８ｍｍ、横８５．６０ｍｍ）で構成される。厚さは、約０．８ｍｍである。
【００４８】
ＩＤカード１０の表面１０Ｆには、図２（Ａ）に示すように、個人に関わる情報として、氏名１０ａ、住所１０ｂ、生年月日１０ｃ、性別１０ｄ、顔写真１０ｅ、ＩＤカードの有効期限１０ｆ、及び、セキュリティコード１０ｇが記載される。また、表面１０Ｆには、電子証明書の有効期限の記載欄１０ｈ、サインパネル領域１０ｉ（券面の情報に修正が生じた場合、その新しい情報（引越した際の新住所など）を記載する領域）、臓器提供意思表示欄１０ｊが備えられる。これらに記載された情報も個人に関わる情報として構成される。この他、ＩＤカード１０の表面１０Ｆには、個人番号カードであることを示す情報（マーク）１０ｘが記載される。
【００４９】
一方、ＩＤカード１０の裏面１０Ｂには、個人に関わる情報として、個人番号１０ｋ、氏名１０ｌ、生年月日１０ｍ、及び、二次元バーコード１０ｎが記載される。また、裏面１０Ｂには、磁気ストライプ１２、及び、ＩＣチップと通信するための端子１４が備えられる。二次元バーコード１０ｎには、持ち主の個人に関わる情報がコード化されて記録される。この他、ＩＤカード１０の裏面１０Ｂには、注意事項１０ｙが記載される。
【００５０】
〈マスキングカード〉
図３は、マスキングカードの構成を示す図である。同図（Ａ）は、マスキングカード２０の表面図、同図（Ｂ）はマスキングカード２０の裏面図である。
【００５１】
マスキングカード２０は、ＩＤカード１０の表面に重ねて、ＩＤカード１０の表面に記載された情報の一部をマスク（目隠し）するカードである。
【００５２】
マスキングカード２０は、ＩＤカード１０と同じサイズのプラスチックカードで構成される。したがって、ISO/IEC 7810 ID-1規格に準拠したサイズ（縦５３．９８ｍｍ、横８５．６０ｍｍ）で構成される。厚さは、ＩＤカード１０と同様に約０．８ｍｍである。
【００５３】
マスキングカード２０は、プラスチック製（たとえば、ポリ塩化ビニル製）の透明基板の表面にマスク部２２を配置して構成される。マスク部２２は、マスキングカード２０をＩＤカード１０に重ねたときにＩＤカード１０に記載された情報を視認できない構成であればよい。マスク部２２は、たとえば、オフセット印刷などの印刷により形成される。
【００５４】
図４は、マスク部の配置形態を説明する説明図である。同図において、斜線で示した領域がマスク部２２である。
【００５５】
マスク部２２は、ＩＤカード１０の表面をマスクする領域に設けられる。本例では、一部を除いてＩＤカード１０の表面全体が、マスキングカード２０でマスクされるようにマスク部２２が設けられる。マスクしない領域は、氏名が記載された領域、及び、顔写真が記載された領域である。図４に示すように、氏名が記載された領域に相当する領域、及び、顔写真が記載された領域に相当する領域には、透明な窓部が形成される。氏名が記載された領域に相当する領域に形成される窓部を第１窓部２４ａとし、顔写真が記載された領域に相当する領域に形成される窓部を第２窓部２４ｂとする。
【００５６】
図５は、マスキングカードの作用を説明する説明図である。同図には、ＩＤカード１０の表面にマスキングカード２０が重ねて配置された状態が示されている。
【００５７】
図５に示すように、ＩＤカード１０の表面にマスキングカード２０を重ねて配置すると、第１窓部２４ａが氏名１０ａの記載領域に配置され、かつ、第２窓部２４ｂが顔写真１０ｅの記載領域に配置される。これにより、ＩＤカード１０に記載された氏名１０ａ及び顔写真１０ｅが、第１窓部２４ａ及び第２窓部２４ｂを介して視認可能になる。
【００５８】
一方、ＩＤカード１０の表面に記載された氏名１０ａ及び顔写真１０ｅ以外の情報は、マスク部２２でマスクされ、視認不可となる。
【００５９】
〈カードケース〉
図６はカードケースの正面図（表面図）、図７はカードケースの背面図（裏面図）、図８はカードケースの側面図である。また、図９は、図８の９−９断面図、図１０は、図６の１０−１０断面図である。
【００６０】
カードケース３０は、カードケース本体３２に、ＩＤカード１０及びマスキングカード２０を重ねて収容可能な収納部３４と、収納部３４に収納されたＩＤカード１０及びマスキングカード２０を収納部内で保持するストッパー３６と、ストラップ取付部３８と、指穴４０と、を備えて構成される。
【００６１】
−カードケース本体−
カードケース本体３２は、全体として矩形の平板形状を有し、表面側（正面側）が透明、裏面側（背面側）が不透明な構造を有する。カードケース本体３２は、不透明な後カバー４２と、透明な前カバー４４とを接合して構成される。
【００６２】
後カバー４２は、後カバー本体４２Ａと、その後カバー本体４２Ａに一体成形されたスペーサー部４２Ｂと、を備えて構成される。後カバー４２は、全体が不透明である。不透明とは、透き通っていないこと、すなわち、透かして見えないことをいう。後カバー４２は、たとえば、色付きの素材で樹脂成形されて、不透明に形成される。この他、塗装により不透明とすることもできる。また、透明な素材で樹脂成形したものをすりガラス状に加工して不透明とすることもできる。
【００６３】
後カバー本体４２Ａは、カードケース３０の裏面を構成する部材であり、全体として矩形の平板形状を有する。
【００６４】
スペーサー部４２Ｂは、後カバー４２と前カバー４４とを接合したときに後カバー本体４２Ａと前カバー４４との間隔を一定に保持する。スペーサー部４２Ｂは、後カバー本体４２Ａの三辺（一方の長辺を除く三辺）に沿って配置され、全体としてＵ字状に配置される。スペーサー部４２Ｂの内側は、収納部３４を構成する。そのサイズは、ＩＤカード１０及びマスキングカード２０を重ねたときのサイズに対応したサイズとされる。すなわち、重ね合わせたＩＤカード１０及びマスキングカード２０をほぼ隙間なく収納できるサイズとされる。
【００６５】
前カバー４４は、矩形の平板形状を有し、全体が透明である。前カバー４４は、たとえば、透明な樹脂素材で樹脂成形される。前カバー４４は、後カバー４２のスペーサー部４２Ｂに接合されて、後カバー４２と一体化される。
【００６６】
前カバー４４の裏面には、スペーサー部４２Ｂに接合される三辺に沿って一定の間隔でピン４４Ａが配置される。一方、スペーサー部４２Ｂの表面には、ピン４４Ａと同じ間隔でピン穴４２Ｃが配置される。前カバー４４は、ピン４４Ａをピン穴４２Ｃに嵌めることにより、後カバー４２に対して位置決めされて、後カバー４２と一体化される。
【００６７】
前カバー４４と後カバー４２とを一体化することにより、前カバー４４と後カバー本体４２Ａとの間にスペーサー部４２Ｂで囲われた空間が形成される。この空間が収納部３４として構成される。
【００６８】
収納部３４は、一辺（一方の長辺）がカードケース本体３２の端面に開口し、この開口部分が挿入口３４Ａとして構成される。
【００６９】
収納部３４は、重ね合わせたＩＤカード１０及びマスキングカード２０に対応したサイズで構成され、重ね合わせたＩＤカード１０及びマスキングカード２０をほぼ隙間なく収納可能に構成される。
【００７０】
また、収納部３４は、表面側が透明な前カバー４４で構成され、裏面側が不透明な後カバー本体４２Ａで構成される。これにより、表面側が透明、裏面側が不透明とされる。
【００７１】
前カバー４４の挿入口３４Ａに沿う辺には、一対の円弧状の切欠き部４４Ｂが左右対称に配置される。同様に、後カバー本体４２Ａの挿入口３４Ａに沿う辺には、一対の円弧状の切欠き部４２Ｄが左右対称に配置される。この切欠き部４２Ｄ、４４Ｂは、収納部３４に収納されたＩＤカード１０及びマスキングカード２０を指で摘むための領域として使用される。
【００７２】
−ストッパー−
ストッパー３６は、保持手段の一例であり、収納部３４に収納されたＩＤカード１０及びマスキングカード２０を収納部３４の内壁面に向けて押圧し、収納部内に保持する。
【００７３】
ストッパー３６は、収納部３４に対するＩＤカード１０及びマスキングカード２０の挿入方向と平行な収納部３４の一辺に配置され、ＩＤカード１０及びマスキングカード２０の片側の端面を押圧して、ＩＤカード１０及びマスキングカード２０を収納部内に保持する。本実施の形態のカードケース３０において、ＩＤカード１０及びマスキングカード２０の挿入方向と平行な収納部３４の辺は、収納部３４の一対の短辺である。ストッパー３６は、一方の短辺に配置され、ＩＤカード１０及びマスキングカード２０の片側の短辺の端面に当接して、ＩＤカード１０及びマスキングカード２０を収納部３４の他方側の短辺（スペーサー部４２Ｂの内壁面）に押し付ける。
【００７４】
ストッパー３６は、円盤状の弾性体（たとえば、ウレタンゴム）で構成される。ストッパー３６は、スペーサー部４２Ｂに配置され、外周の一部がスペーサー部４２Ｂの内壁面から突出して配置される。ＩＤカード１０及びマスキングカード２０は、挿入口３４Ａから収納部３４に差し込むと、片側の短辺の端面にストッパー３６が当接する。そして、そのストッパー３６によって、他方側の短辺に向けて押圧され、スペーサー部４２Ｂの内壁面に押し付ける。これにより、収納部内に保持される。
【００７５】
ここで、ストッパー３６が配置される位置は、収納部３４の挿入口３４Ａから底までの長さをＨとすると、収納部３４の底（スペーサー部４２Ｂの長辺の内壁面）から１／２＊Ｈ以上離れた位置に設定される。これにより、収納部３４に収納されたＩＤカード１０及びマスキングカード２０の脱落を効果的に防止できる。
【００７６】
なお、ストッパー３６を配置する位置は、挿入口３４Ａに近いほど脱落防止効果が高くなる。その一方で挿入口３４Ａに近くなるほどＩＤカード１０及びマスキングカード２０の出し入れがしにくくなる。したがって、出し入れのしやすさと、脱落のしにくさを考慮すると、収納部３４の底から１／２＊Ｈ以上離れた位置に配置することが好ましい。
【００７７】
−ストラップ取付部−
ストラップ取付部３８は、カードケース３０にストラップ（特にネックストラップ）を取り付けるための部位として構成される。
【００７８】
ストラップ取付部３８は、カードケース本体３２の後カバー４２に一体的に設けられる。後カバー４２の後カバー本体４２Ａには、収納部３４の挿入口３４Ａに沿う辺の中央にストラップ取付部３８が一体的に設けられる。ストラップ取付部３８は、矩形の片として、後カバー本体４２Ａから突出して設けられる。ストラップ取付部３８には、ストラップ取付穴３８Ａが備えられ、このストラップ取付穴３８Ａを利用してストラップが取り付けられる。
【００７９】
−指穴−
指穴４０は、収納部３４に収納されたＩＤカード１０及びマスキングカード２０の取り出しに供される穴である。指穴４０は、カードケース本体３２の後カバー本体４２Ａに開口部として形成される。
【００８０】
指穴４０は、少なくとも成人の人指し指の先端を挿入可能なサイズで構成される。また、指穴４０は、挿入した指先によって、収納部３４に収納されたＩＤカード１０及びマスキングカード２０を挿入口３４Ａに向けて押し出すことができるように形成される。これにより、ＩＤカード１０及びマスキングカード２０の取り出しを容易にできる。
【００８１】
ところで、指穴４０は、開口部として形成されるため、収納部３４にＩＤカード１０を収容すると、指穴４０を介して、ＩＤカード１０の裏面が露出される。したがって、指穴４０は、収納部３４に収納されたＩＤカード１０の裏面に記載された情報、特に個人に関わる情報を露出させない位置に配置し、かつ、個人に関わる情報を露出させない大きさで形成することが好ましい。
【００８２】
図１１は、指穴の配置を説明する説明図である。
【００８３】
上記のように、個人番号カードで構成されるＩＤカード１０は、裏面に個人に関わる情報として、個人番号１０ｋ、氏名１０ｌ、生年月日１０ｍ、及び、二次元バーコード１０ｎが記載される。したがって、指穴４０は、これらの情報が記載された領域を避けて形成することが好ましい。
【００８４】
本実施の形態のカードケース３０では、図１１に示すように、カードケース３０の右下の一カ所に指穴４０が形成される。
【００８５】
《作用》
図１２は、ＩＤカードケースの使用形態を示す図であり、ＩＤカード１０及びマスキングカード２０をカードケース３０に収納した状態を示している。同図（Ａ）は、ＩＤカードケース１の使用形態を示す正面図、同図（Ｂ）は、ＩＤカードケース１の使用形態を示す背面図である。
【００８６】
ＩＤカード１０及びマスキングカード２０は、カードケース３０に収納すると、重ねられた状態で収納部内に配置される。
【００８７】
図１２（Ａ）に示すように、ＩＤカード１０は、マスキングカード２０が表面に重ねられることにより、氏名１０ａ及び顔写真１０ｅが記載された領域以外の領域が、マスキングカード２０のマスク部２２でマスクされる。これにより、ＩＤカード１０の表面に記載された情報が必要以上に露出するのを防止できる。
【００８８】
図１２（Ｂ）に示すように、ＩＤカード１０の裏面は、不透明に形成されたカードケース３０の後カバー本体４２Ａで覆われる。これにより、ＩＤカード１０の裏面に記載された情報を目隠しできる。
【００８９】
ここで、後カバー本体４２Ａには、指穴４０が備えられており、指穴４０からＩＤカード１０の一部が露出する。しかし、指穴４０は、個人に関わる情報が記載されていない位置に配置されているため、個人に関わる情報が人目に触れることはない。
【００９０】
また、収納部３４に収納されたＩＤカード１０及びマスキングカード２０は、ストッパー３６で保持される。これにより、ＩＤカード１０及びマスキングカード２０が、カードケース３０から不用意に脱落するのを効果的に防止できる。
【００９１】
また、ＩＤカード１０は、カードケース３０から取り出すことにより、その内容を容易に確認できる。
【００９２】
このように、本実施の形態のＩＤカードケース１によれば、必要以上の情報を露出させないので、個人情報を適切に保護してＩＤカード１０を使用できる。
【００９３】
また、本実施の形態のＩＤカードケース１は、マスキングカード２０でＩＤカード１０をマスクするため、マスクする領域を変える場合は、マスキングカード２０の交換だけで済む。これにより、使い勝手がよく、経済的な運用ができる。たとえば、マスク部２２がマスクする領域が異なる複数枚のマスキングカード２０を用意しておき、状況に応じて使用するマスキングカード２０を切り替えることにより、適切に個人情報を保護してＩＤカード１０を使用できる。
【００９４】
《マスキングカードの変形例》
上記実施の形態のマスキングカードは、露出させる情報が記載された領域を除く全ての領域がマスクされるようにマスク部が形成されているが、マスクすべき情報が記載された領域のみ目隠しされるようにマスク部を形成してもよい。
【００９５】
図１３は、マスクすべき情報が記載された領域のみマスク部を形成したマスキングカードの一例を示す図である。なお、同図（Ａ）は、ＩＤカードとの関係でマスクする領域を説明するための説明図である。同図において、斜線で示す領域がマスクする領域である。また、同図（Ｂ）は、ＩＤカードの表面に重ね合わせた状態のマスキングカードの表面図である。
【００９６】
図１３に示す例では、ＩＤカード１０の表面に記載された複数の情報のうち、住所１０ｂ、生年月日１０ｃ、性別１０ｄ、セキュリティコード１０ｇ、サインパネル領域１０ｉ、臓器提供意思表示欄１０ｊをマスクする場合を示している。この場合、住所１０ｂ、生年月日１０ｃ、性別１０ｄ、セキュリティコード１０ｇ、サインパネル領域１０ｉ、臓器提供意思表示欄１０ｊの各記載領域を覆うようにマスク部２２が形成される。
【００９７】
このように、マスク部２２は、マスクすべき情報が記載された領域にのみ形成することもできる。
【００９８】
また、１つの記載事項をマスクする形態についても種々の形態を採用できる。たとえば、氏名をマスクする場合、名前の部分だけをマスクしてもよい。この場合、名字のみが視認可能になる。また、住所をマスクする場合において、都道府県名のみ視認可能とし、他を全てマスクしてもよい。更に、生年月日をマスクする場合において、年月日のうち年のみをマスクしてもよい。このように、記載事項をマスクする形態は、目的や用途に応じて適宜選択できる。
【００９９】
さらに、ＩＤカード１０には、直接個人に関わる情報以外の情報も記載されるが、これらの情報もマスキングの対象とすることができる。たとえば、個人番号カードで構成されるＩＤカードの場合、カード表面には個人番号カードであることを示す情報（マーク）１０ｘが表示されるが、これらの情報もマスキングの対象とすることができる。この他、たとえば、企業、学校等の団体が発行するＩＤカードの場合は、発行機関の情報（ＩＤカードを発行した企業、学校、団体等の名称）をマスキングする情報の対象とすることができる。また、各種資格の証明書（たとえば、運転免許証）、認定証などをＩＤカードとして使用する場合、資格の名称等をマスキングの対象とすることができる。
【０１００】
また、上記実施の形態では、透明基板２０Ａの上にマスク部２２を形成してマスキングカード２０を構成しているが、マスキングカード２０の形態は、これに限定されるものではない。たとえば、不透明な基板に窓部となる開口を形成して、マスキングカードを構成してもよい。この場合、窓部は、情報を露出させる位置に形成する。たとえば、氏名及び顔写真を露出させる場合は、氏名及び顔写真に対応する領域をくり抜いて開口を形成し、窓部とする。これにより、ＩＤカードに重ねた際、氏名及び顔写真以外の領域をマスキングカードでマスクできる。
【０１０１】
また、マスク部２２は、印刷以外の方法で形成してもよい。たとえば、遮光姓を有するシールを貼付して形成してもよい。あるいは、マスクする部分をすりガラス状に加工して形成してもよい。
【０１０２】
［第２の実施の形態］
マスキングカード２０のマスク部２２に発行機関が証明する情報を記載することにより、ＩＤカード１０を発行機関独自のＩＤカードとして使用できる。以下においては、ＩＤカード１０を特定の企業の社員証として使用する場合の例に説明する。
【０１０３】
図１４は、特定の企業の社員証として使用する場合のマスキングカードの一例を示す図である。同図（Ａ）は、マスキングカードの表面図、同図（Ｂ）は、マスキングカードの裏面図である。
【０１０４】
ＩＤカード１０を特定の企業の社員証として使用する場合、マスキングカード２０にはマスク部２２に当該企業が証明する情報を記載する。
【０１０５】
図１４に示す例では、発行機関である企業が証明する情報として、企業名２２ａ、電話番号２２ｂ、持ち主の所属部署２２ｃ、社員番号２２ｄの情報が記載されている。
【０１０６】
図１５は、ＩＤカードに重ねた状態のマスキングカードの表面図である。
【０１０７】
図１５に示すように、ＩＤカード１０の表面にマスキングカード２０を重ねて配置すると、第１窓部２４ａが氏名１０ａの記載領域に配置され、かつ、第２窓部２４ｂが顔写真１０ｅの記載領域に配置される。これにより、ＩＤカード１０に記載された氏名１０ａ及び顔写真１０ｅが、第１窓部２４ａ及び第２窓部２４ｂを介して視認可能になる。
【０１０８】
一方、ＩＤカード１０の表面に記載された氏名１０ａ及び顔写真１０ｅ以外の情報は、マスク部２２でマスクされ、視認不可となる。
【０１０９】
マスク部２２には、発行機関が証明する情報が記載されているので、この状態でＩＤカード１０及びマスキングカード２０をカードケースに収納すれば、氏名１０ａ、顔写真１０ｅ、企業名２２ａ、電話番号２２ｂ、所属部署２２ｃ、及び、社員番号２２ｄが表面に表示されたＩＤカードとして使用できる。
【０１１０】
このように、マスキングカード２０のマスク部２２に発行機関独自の情報を記載することにより、他の機関が発行するＩＤカード１０を用いて、ＩＤカードケース１を発行機関独自のＩＤカードとして使用できる。
【０１１１】
この場合、マスキングカード２０の記載事項が変更した場合（たとえば、所属部署が変更した場合など）は、マスキングカード２０の交換だけで済むので、経済的な運用ができる。
【０１１２】
また、マスキングカード２０には、市販のカードプリンターを使用して印刷できるので、マスキングカード２０の発行も容易にできる。
【０１１３】
《マスキングカードの変形例》
マスキングカード２０に発行機関独自の情報を記載して、ＩＤカード１０を独自のＩＤカードとして使用する場合、マスキングカード２０には、各種セキュリティー技術を搭載することが好ましい。
【０１１４】
セキュリティー技術としては、たとえば、（１）特殊インクを使用した印刷、（２）マイクロ文字を使用した印刷、（３）ホログラムの印刷又は貼付が考えられる。
【０１１５】
（１）特殊インクを使用した印刷
ブラックライト（紫外線）対応蛍光インクでマスキングカード２０の表面に隠し文字を印刷する。これにより、紫外線光源をかざすだけで真贋判定が可能になる。特に、停電など暗い場所、暗い場面でも判定が可能になる。
【０１１６】
また、角度によって色が変わって見えるインク（いわゆるパールインク）を使用して、マスキングカード２０の表面に所定の認証文字を印刷する。これにより、カラーコピーによる再現を不可能にできる。
【０１１７】
（２）マイクロ文字を使用した印刷
マスキングカード２０の表面にマイクロ文字を印刷する。これにより、通常のラベル印刷、及び、コピー機での再現を不可能にできる。
【０１１８】
（３）ホログラムの印刷又は貼付
マスキングカード２０の表面にホログラムを印刷又は貼付する。これにより、簡単に真贋判定が可能になる。
【０１１９】
これらのセキュリティー技術は、単独又は組み合わせで使用できる。組み合わせて使用することにより、よりセキュリティーを強化できる。
【０１２０】
また、マスキングカード２０の裏面には、マスク部２２に所定の注意事項を印刷することにより、使用や取得に際しての注意を促すことができる。
【０１２１】
図１６は、セキュリティー技術を搭載したマスキングカードの一例を示す図である。同図（Ａ）は、マスキングカードの表面図、同図（Ｂ）は、マスキングカードの裏面図である。
【０１２２】
図１６（Ａ）、（Ｂ）は、それぞれセキュリティー技術を搭載したマスキングカードの一例を示す表面図、裏面図である。
【０１２３】
本例のマスキングカード２０は、セキュリティー対策として、（１）特殊インクを使用した印刷、（２）マイクロ文字を使用した印刷、（３）ホログラムの貼付を行ったマスキングカードである。
【０１２４】
図１６（Ａ）に示すように、マスキングカード２０には、特殊インクを使用した印刷として、マスク部２２にブラックライト対応蛍光インクで「FFIS Co., Ltd.」の文字列２２ｅが印刷されている。また、いわゆるパールインクで「FFIS株式会社」の文字列２２ｆが印刷されている。
【０１２５】
また、マイクロ文字を使用した印刷として、マスク部２２に「FFIS」の文字列２２ｇがマイクロ文字で印刷されている。
【０１２６】
さらに、マスク部２２にホログラム２２ｈが貼付されている。
【０１２７】
また、マスキングカード２０の裏面には、図１６（Ｂ）に示すように、注意事項２２ｉが印刷されている。
【０１２８】
このように、マスキングカード２０に対して、各種セキュリティー技術を搭載することにより、マスキングカード２０のセキュリティー性を向上できる。
【０１２９】
なお、セキュリティー技術については、カードケース３０にも搭載することが好ましい。たとえば、カードケース３０にホログラムを貼付してもよい。これにより、更にセキュリティーを強化できる。
【０１３０】
［第３の実施の形態］
上記実施の形態では、個人番号カードをＩＤカードとして使用しているが、本発明で使用可能なＩＤカードは、これに限定されるものではない。たとえば、運転免許証や健康保険証、住基カードなどの公的機関が発行するＩＤカードや、企業や団体、学校等が独自に発行するＩＤカード（社員証や学生証など）をＩＤカードとして使用できる。
【０１３１】
図１７は、運転免許証をＩＤカードとして使用する場合のマスキングカードの一例を示す図である。同（Ａ）は、運転免許証の表面図を示している。また、同図（Ｂ）は、マスクする領域の一例を示している。また、同図（Ｃ）は、マスキングカードの表面図を示している。
【０１３２】
図１７（Ａ）に示すように、運転免許証で構成されるＩＤカード１１０の表面には、個人に関わる情報として、氏名１１０ａ、住所１１０ｂ、生年月日１１０ｃ、顔写真１１０ｄ等が記載されている。
【０１３３】
このような運転免許証をＩＤカード１１０として使用し、氏名１１０ａ及び顔写真１１０ｄだけを露出させる場合、図１７（Ｂ）に示すように、氏名１１０ａが記載された領域、及び、顔写真１１０ｄが記載された領域を除いて、運転免許証の表面全体をマスクする。
【０１３４】
この場合、図１７（Ｃ）に示すように、マスキングカード２０は、氏名が記載された領域に相当する領域、及び、顔写真が記載された領域に相当する領域には、透明な窓部が形成される。氏名が記載された領域に相当する領域に形成される窓部を第１窓部２４ａとし、顔写真が記載された領域に相当する領域に形成される窓部を第２窓部２４ｂとする。図１７（Ｃ）に示すように、ＩＤカード１１０の表面にマスキングカード２０を重ねて配置すると、氏名１１０ａ及び顔写真１１０ｄが、第１窓部２４ａ及び第２窓部２４ｂを介して視認可能になる。一方、氏名１１０ａ及び顔写真１１０ｄ以外の情報は、マスク部２２でマスクされ、視認不可となる。
【０１３５】
なお、図１７（Ｃ）に示す例では、マスキングカード２０のマスク部２２に発行機関が証明する情報を記載した例を示している。このようにマスク部２２に発行機関独自の情報を記載（印刷）することにより、運転免許証を用いて発行機関独自のＩＤカードとして使用できる。
【０１３６】
［第４の実施の形態］
本実施の形態では、企業が独自に発行する社員証をＩＤカードとして使用する場合について説明する。
【０１３７】
図１８は、社員証をＩＤカードとして使用する場合のマスキングカードの一例を示す図である。同（Ａ）は、社員証の表面図を示している。また、同図（Ｂ）は、マスキングカードの表面図を示している。また、同図（Ｃ）は、社員証に重ねた状態のマスキングカードの表面図を示している。
【０１３８】
図１８（Ａ）に示すように、社員証であるＩＤカード２１０には、個人に関わる情報として、氏名２１０ａ、社員番号２１０ｂ、生年月日２１０ｃ、性別２１０ｄ、顔写真２１０ｅが記載されているものとする。
【０１３９】
図１８（Ｂ）に示すように、マスキングカード２０は、ＩＤカード２１０に記載された生年月日２１０ｃ及び性別２１０ｄをマスクするようにマスク部２２が配置される。これにより、マスキングカード２０をＩＤカード２１０の表面に重ねると、図１８（Ｃ）に示すように、ＩＤカード２１０に記載された生年月日２１０ｃ及び性別２１０ｄが、マスキングカード２０のマスク部２２でマスクされる。
【０１４０】
本例のマスキングカード２０は、更に、マスク部２２にＩＤカード２１０には記載されていない情報が記載される。ここでは、所属部署の情報が印刷されている。これにより、所属部署が変わった場合は、マスキングカードだけを変えれば済むので、経済的な運用ができる。
【０１４１】
このように、ＩＤカードには、公的機関が発行するものに限らず各種の団体（たとえば、企業、学校等）が独自に発行するものを使用できる。
【０１４２】
［カードケースの他の形態］
カードケースについては、ＩＤカード及びマスキングカードを重ねて収容できる形態のものであれば、その具体的な構成は、特に限定されない。
【０１４３】
図１９は、カードケースの他の実施の形態を示す正面図である。
【０１４４】
本実施の形態のカードケース３０は、収納部３４の短辺が挿入口３４Ａとして開口した形態のカードケースである。この場合、ＩＤカード及びマスキングカードは、カードケース３０に縦に収納される。すなわち、長手方向に沿って収納される。
【０１４５】
なお、この場合も指穴４０は、収納部３４に収納されたＩＤカードの裏面に記載された個人に関わる情報を露出させない位置に配置する。
【０１４６】
また、ストッパー３６についても、収納部３４の底から１／２＊Ｈ以上離れた位置に配置することが好ましい。
【０１４７】
この他、カードケースには、二枚のシートを袋状に重ね合わせた構成のものを使用してもよい（いわゆる、ソフトタイプのカードケース）。
【０１４８】
また、上記実施の形態では、カードケース３０の収納部３４の裏面を不透明としているが、透明としてもよい。特に、裏面に保護すべき個人情報が記載されていないＩＤカードを使用する場合などには、収納部３４の裏面は透明であってもよい。
【０１４９】
また、収納部３４の裏面が透明なカードケース３０を使用する場合は、ＩＤカード１０の裏面を裏面用のマスキングカードでマスクしてもよい。この場合、裏面用のマスキングカードは、ＩＤカードの裏面の全体をマスクしてもよいし、マスクが必要な部分だけをマスクしてもよい。また、この場合、カードケース３０の収納部３４は、裏面用のマスキングカードも収納可能に構成される。
【０１５０】
［保持手段の他の形態］
上記実施の形態のカードケース３０では、保持手段としてストッパー３６を使用しているが、保持手段の構成は、これに限定されるものではない。
【０１５１】
図２０は、他の保持手段が採用されたカードケースの正面図である。また、図２１は、図２０の２１−２１断面図である。
【０１５２】
本例の保持手段は、収納部３４に収納されたＩＤカードの裏面を押圧する押圧部４６として構成される。押圧部４６は、後カバー４２の二カ所に備えられ、後カバー本体４２Ａに一体的に設けられる。
【０１５３】
押圧部４６は、板バネ部４６Ａ及び当接部４６Ｂを備えて構成される。板バネ部４６Ａは、基端部が後カバー本体４２Ａに接続されて、後カバー本体４２Ａに一体化される。板バネ部４６Ａは、基端部を支点にカードケース３０の厚み方向に弾性変形可能に設けられる。当接部４６Ｂは、膨出部として、板バネ部４６Ａの先端に備えられる。当接部４６Ｂは、カードケース３０の内側に向けて円弧状に膨出して設けられる。
【０１５４】
以上のように構成される押圧部４６の作用は、次のとおりである。押圧部４６に備えられた当接部４６Ｂは、カードケース３０の内側に膨出している。このため、ＩＤカード１０及びマスキングカード２０を収納部３４に収納すると、ＩＤカード１０の裏面に当接部４６Ｂが当接する。ＩＤカード１０の裏面に当接した当接部４６Ｂは、ＩＤカード１０を前カバー４４に向けて押圧する。これにより、ＩＤカード１０及びマスキングカード２０が、前カバー４４と当接部４６Ｂとの間に挟まれて、収納部内に保持される。
【０１５５】
このように、保持手段は、収納部３４に収納されたＩＤカード１０及びマスキングカード２０を収納部３４に保持できる構成であればよい。
【０１５６】
この他、カードケース３０は、挿入口３４Ａに蓋を設けて、ＩＤカード１０及びマスキングカード２０の脱落を防止するようにしてもよい。
【０１５７】
［マスキングカードのその他の実施の形態］
図２２は、マスキングカードのその他の実施の形態を示す表面図である。同図に示すように、本例のマスキングカード３００は、折り畳み式のマスキングカードであり、ＩＤカードの表面をマスクする表面カード部３１２と、ＩＤカードの裏面をマスクする裏面カード部３１４と、表面カード部３１２と裏面カード部３１４とを折り畳み可能に接合する接合部３１６と、を備えて構成される。
【０１５８】
表面カード部３１２及び裏面カード部３１４は、共にＩＤカードと同じサイズのカード形状を有する。接合部３１６は、ＩＤカードの厚さに対応した幅を有し、表面カード部３１２と裏面カード部３１４の底辺部分を接合する。
【０１５９】
マスキングカード３００は、接合部３１６を介して表面カード部３１２と裏面カード部３１４とを折り畳むと、裏面カード部３１４の上に表面カード部３１２が重ねて配置される。このとき、裏面カード部３１４と表面カード部３１２との間に一定の隙間が形成され、この隙間にＩＤカードが挟み込まれる。
【０１６０】
マスキングカード３００は、全体がプラスチック製（たとえば、ポリ塩化ビニル製）の透明基板で構成される。表面カード部３１２には、ＩＤカードの表面をマスクする表面マスク部３１８が形成され、裏面カード部３１４には、ＩＤカードの裏面をマスクする裏面マスク部３２０が形成される。表面マスク部３１８及び裏面マスク部３２０は、マスクする領域に対応して形成される。
【０１６１】
図２２に示す例では、個人番号カードで構成されるＩＤカードにおいて、カード表面に記載された氏名及び顔写真以外をマスクする場合を示している。着色した領域が、マスクする領域である。
【０１６２】
この場合、表面カード部３１２には、表面カード部３１２をＩＤカードの表面に重ねたときに、ＩＤカードに記載された氏名及び顔写真以外の領域がマスクされるように、表面マスク部３１８が形成される。
【０１６３】
一方、裏面カード部３１４には、ＩＤカードの裏面全体がマスクされるように、裏面マスク部３２０が形成される。表面マスク部３１８及び裏面マスク部３２０は、たとえば、印刷により形成される。
【０１６４】
図２３は、マスキングカードの作用を説明する説明図である。同図（Ａ）は、マスキングカード３００の折り畳み前の状態を示しており、同図（Ｂ）は、マスキングカード３００の折り畳み後の状態を示している。
【０１６５】
図２３（Ａ）に示すように、ＩＤカード１０は、マスキングカード３００の裏面カード部３１４の上に重ねて配置する。この状態で表面カード部３１２を折り畳むと、図２３（Ｂ）に示すように、ＩＤカード１０の表面に表面カード部３１２が重ね合わされ、裏面カード部３１４と表面カード部３１２との間にＩＤカード１０が挟まれる。
【０１６６】
裏面カード部３１４と表面カード部３１２との間に挟まれたＩＤカード１０は、裏面側の全体が裏面カード部３１４に備えられた裏面マスク部３２０でマスクされる。これにより、裏面に記載された情報をマスクできる。一方、ＩＤカード１０の表面に記載された情報は、表面カード部３１２に備えられた表面マスク部３１８で部分的にマスクされる。すなわち、氏名及び顔写真以外の情報がマスクされる。これにより、必要以上の情報が露出するのを防止できる。
【０１６７】
図２４は、マスキングカードの使用形態を説明する説明図であり、ＩＤカード１０及びマスキングカード３００をカードケース４００に収納した状態を示している。同図（Ａ）は、正面図であり、同図（Ｂ）は、背面図である。
【０１６８】
ここでは、カードケース４００として、いわゆるソフトタイプのカードケースを使用した例を示している。
【０１６９】
カードケース４００は、一辺が開口した矩形の平たい袋形状を有し、可撓性を有する。このカードケース４００は、可撓性を有する２枚の透明なシートを重ね合わせ、その３辺を接合することにより構成される。このように構成されたカードケース４００は、２枚のシートの間に収納部４０２が形成される。そして、収納部４０２の一辺が挿入口４０２Ａとして開口して形成される。
【０１７０】
ＩＤカード１０は、マスキングカード３００の表面カード部３１２及び裏面カード部３１４の間に挟まれた状態でカードケース４００に収納される。
【０１７１】
カードケース４００に収納されたＩＤカード１０は、図２４（Ａ）に示すように、表面が表面カード部３１２で覆われる。これにより、表面に記載された情報が、表面カード部３１２に備えられた表面マスク部３１８で部分的にマスクされる。具体的には、氏名及び顔写真以外の情報がマスクされる。
【０１７２】
また、カードケース４００に収納されたＩＤカード１０は、図２４（Ｂ）に示すように、裏面が裏面カード部３１４で覆われる。これにより、裏面に記載された情報が、裏面カード部３１４に備えられた裏面マスク部３２０で全体的にマスクされる。
【０１７３】
このように、マスキングカードは、折り畳み可能な構成としてもよい。これにより、ＩＤカードの両面に記載された情報を適切にマスクできる。
【０１７４】
なお、本例では、ＩＤカードの表裏をマスクできる構成として、マスキングカードを折り畳み可能な構成としたが、ＩＤカードの表裏を各々独立したマスキングカードでマスクする構成とすることもできる。この場合、ＩＤカードの裏面側をマスクするマスキングカードは、ＩＤカードの裏面の全体をマスクする構成としてもよいし、部分的にマスクする構成としてもよい。
【０１７５】
［ＩＤカードのその他の実施の形態］
上記実施の形態では、ＩＳＯ（国際標準化機構）規格に準拠した形態のカードを使用する場合を例に説明したが、ＩＤカードの形態は、これに限定されるものではない。矩形以外の形態を採用することもできる。この場合、マスキングカードは、ＩＤカードの形状に対応した形状で構成される。
【実施例】
【０１７６】
図２５は、マスキングカードの実施例を示す図である。同図（Ａ）は、マスキングカードの正面図（表面図）、同図（Ｂ）は、マスキングカードの背面図（裏面図）、同図（Ｃ）は、マスキングカードの平面図、同図（Ｄ）は、マスキングカードの右側面図である。なお、底面図は平面図と同じであり、左側面図は右側面図と同じである。
【０１７７】
図２５（Ａ）及び（Ｂ）において、斜線で表わされた部分がマスク部であり、不透明な部分である。マスク部以外の部分は窓部であり、透明な部分である。
【０１７８】
マスキングカードは、透明基板の表面にマスク部を印刷して製造される。透明基板は、ISO/IEC 7810 ID-1規格に準拠したサイズで構成され、縦５３．９８ｍｍ、横８５．６０ｍｍで構成される。厚さは、０．８ｍｍである。
【０１７９】
このマスキングカードは、個人番号カード向けのマスキングカードであり、個人番号カードの表面に重ねると、氏名及び顔写真が記載された領域を除く全ての領域がマスク部でマスクされる。
【符号の説明】
【０１８０】
１…ＩＤカードケース、１０…ＩＤカード、１０Ｂ…裏面、１０Ｆ…表面、１０ａ…氏名、１０ｂ…住所、１０ｃ…生年月日、１０ｄ…性別、１０ｅ…顔写真、１０ｆ…有効期限、１０ｇ…セキュリティコード、１０ｈ…記載欄、１０ｉ…サインパネル領域、１０ｊ…臓器提供意思表示欄、１０ｋ…個人番号、１０ｌ…氏名、１０ｍ…生年月日、１０ｎ…二次元バーコード、１２…磁気ストライプ、１４…端子、２０…マスキングカード、２０Ａ…透明基板、２２…マスク部、２２ａ…企業名、２２ｂ…電話番号、２２ｃ…所属部署、２２ｄ…社員番号、２２ｅ…文字列、２２ｆ…文字列、２２ｇ…文字列、２２ｈ…ホログラム、２２ｉ…注意事項、２４ａ…第１窓部、２４ｂ…第２窓部、３０…カードケース、３２…カードケース本体、３４…収納部、３４Ａ…挿入口、３６…ストッパー、３８…ストラップ取付部、３８Ａ…ストラップ取付穴、４０…指穴、４２…後カバー、４２Ａ…後カバー本体、４２Ｂ…スペーサー部、４２Ｃ…ピン穴、４２Ｄ…切欠き部、４４…前カバー、４４Ａ…ピン、４４Ｂ…切欠き部、４６…押圧部、４６Ａ…板バネ部、４６Ｂ…当接部、１１０…ＩＤカード、１１０ａ…氏名、１１０ｂ…住所、１１０ｃ…生年月日、１１０ｄ…顔写真、２１０…ＩＤカード、２１０ａ…氏名、２１０ｂ…社員番号、２１０ｃ…生年月日、２１０ｄ…性別、２１０ｅ…顔写真、３００…マスキングカード、３１２…表面カード部、３１４…裏面カード部、３１６…接合部、３１８…表面マスク部、３２０…裏面マスク部、４００…カードケース、４０２…収納部、４０２Ａ…挿入口
【図１】
0006680527.tif 000002
【図２】
0006680527.tif 000003
【図３】
0006680527.tif 000004
【図４】
0006680527.tif 000005
【図５】
0006680527.tif 000006
【図６】
0006680527.tif 000007
【図７】
0006680527.tif 000008
【図８】
0006680527.tif 000009
【図９】
0006680527.tif 000010
【図１０】
0006680527.tif 000011
【図１１】
0006680527.tif 000012
【図１２】
0006680527.tif 000013
【図１３】
0006680527.tif 000014
【図１４】
0006680527.tif 000015
【図１５】
0006680527.tif 000016
【図１６】
0006680527.tif 000017
【図１７】
0006680527.tif 000018
【図１８】
0006680527.tif 000019
【図１９】
0006680527.tif 000020
【図２０】
0006680527.tif 000021
【図２１】
0006680527.tif 000022
【図２２】
0006680527.tif 000023
【図２３】
0006680527.tif 000024
【図２４】
0006680527.tif 000025
【図２５】
0006680527.tif 000026